(57)【特許請求の範囲】
【請求項１】
天井面パネル（Ｔ）と底面パネル（Ｂ）並びに左右一対の側面パネル（ＳＬ）（ＳＲ）から前後方向への細長く延在する直方体をなし、その直方体の背面開口が背面パネル（Ｒ）によって施蓋された状態の箱罠本体（Ｃ）と、
その箱罠本体（Ｃ）の正面開口を有害動物侵入口（Ｅ）として区画する状態に据え立てられた左右一対の開閉シャッター用昇降ガイド支柱（１１Ｌ）（１１Ｒ）と、
上記有害動物侵入口（Ｅ）の開閉シャッター（１０）をその昇降ガイド支柱（１１Ｌ）（１１Ｒ）に沿って落下させるトリガー装置とを備え、
上記箱罠本体（Ｃ）を直方体に形成する天井面パネル（Ｔ）と底面パネル（Ｂ）と左右両側面パネル（ＳＬ）（ＳＲ）と背面パネル（Ｒ）とが、何れも金属骨線材の縦横交叉する格子状態に溶接されたメッシュパネル本体（Ｐ）から成る有害動物捕獲用の箱罠において、
上記天井面パネル（Ｔ）と底面パネル（Ｂ）並びに左右両側面パネル（ＳＬ）（ＳＲ）の悉く同じ長方形なメッシュパネル本体（Ｐ）と、上記背面パネル（Ｒ）の正方形又は長方形なメッシュパネル本体（Ｐ）には、各々その網目を細分する複数本づつの縦・横補強線材（１４ｙ）（１４ｘ）が、その両端部に連続している連結杆受け入れリング（１５）（１６）をメッシュパネル本体（Ｐ）の額縁から張り出す状態に溶接されており、
上記開閉シャッター用左右両昇降ガイド支柱（１１Ｌ）（１１Ｒ）の背面には複数づつの連結杆受け入れリング（２２）（２２）が、左右両側面パネル（ＳＬ）（ＳＲ）のメッシュパネル本体（Ｐ）から前側へ張り出す縦補強線材（１４ｙ）の連結杆受け入れリング（１５）（１５）と同じ垂直中心線（Ｚ−Ｚ）上での対応合致することとなる整列状態に溶接されており、
上記箱罠本体（Ｃ）を直方体に形成する天井面パネル（Ｔ）と左右両側面パネル（ＳＬ）（ＳＲ）と底面パネル（Ｂ）との隣り合う相互間が、その直方体の前後方向へ延在する平行な４コーナー稜線（Ｙ−Ｙ）に沿って、左右両側面パネル（ＳＬ）（ＳＲ）側の横補強線材（１４ｘ）（１４ｘ）から張り出す上下両端部の連結杆受け入れリング（１６）（１６）と、天井面パネル（Ｔ）側並びに底面パネル（Ｂ）側の横補強線材（１４ｘ）（１４ｘ）から張り出す左右両端部の連結杆受け入れリング（１６）（１６）との対応合致する内部へ、前方又は後方から抜き差し自在に差し込まれる合計４本の長い水平連結杆（１２ｙ）（１２ｙ）（１２ｙ）（１２ｙ）によって連結され、
同じく箱罠本体（Ｃ）を直方体に形成する天井面パネル（Ｔ）と背面パネル（Ｒ）と底面パネル（Ｂ）との隣り合う相互間が、その直方体の左右方向へ延在する平行な２コーナー稜線（Ｘ−Ｘ）に沿って、背面パネル（Ｒ）側の縦補強線材（１４ｙ）から張り出す上下両端部の連結杆受け入れリング（１５）（１５）と、天井面パネル（Ｔ）側並びに底面パネル（Ｂ）側の縦補強線材（１４ｙ）（１４ｙ）から張り出す後端部の連結杆受け入れリング（１５）（１５）との対応合致する内部へ、左方向又は右方向から抜き差し自在に差し込まれる合計２本の短かい水平連結杆（１２ｘ）（１２ｘ）によって連結され、
上記箱罠本体（Ｃ）を直方体に形成する左右両側面パネル（ＳＬ）（ＳＲ）と背面パネル（Ｒ）と開閉シャッター用の左右両昇降ガイド支柱（１１Ｌ）（１１Ｒ）との隣り合う相互間が、その直方体の上下方向へ延在する平行な４コーナー稜線（Ｚ−Ｚ）に沿って、左右両側面パネル（ＳＬ）（ＳＲ）側の縦補強線材（１４ｙ）（１４ｙ）から張り出す前後両端部の連結杆受け入れリング（１５）（１５）と、上記左右両昇降ガイド支柱（１１Ｌ）（１１Ｒ）の背面側から張り出す連結杆受け入れリング（２２）（２２）と、背面パネル（Ｒ）側の横補強線材（１４ｘ）から張り出す左右両端部の連結杆受け入れリング（１６）（１６）との各々対応合致する内部へ、上方から抜き差し自在に差し込まれる合計４本の垂直連結杆（１３）（１３）（１３）（１３）によって連結され、
上記合計４本の長い水平連結杆（１２ｙ）〜（１２ｙ）と合計２本の短かい水平連結杆（１２ｘ）（１２ｘ）とが、上記垂直連結杆（１３）〜（１３）の差し込みにより悉く抜け止め状態に拘束されることとなるように定めたことを特徴とする有害動物捕獲用の箱罠。
【請求項２】
合計４本の垂直連結杆（１３）（１３）（１３）（１３）を長い打込み棒として、地中へ打ち込み固定するように定めたことを特徴とする請求項１記載の有害動物捕獲用の箱罠。
【請求項３】
箱罠本体（Ｃ）を直方体に形成する天井面パネル（Ｔ）と底面パネル（Ｂ）、左右両側面パネル（ＳＬ）（ＳＲ）並びに背面パネル（Ｒ）には、その各自の使用される形成面を示す識別指標（１８）が付与されていることを特徴とする請求項１記載の有害動物捕獲用の箱罠。
【請求項４】
底面パネル（Ｂ）の縦・横補強線材（１４ｙ）（１４ｘ）がそのメッシュパネル本体（Ｐ）から張り出す両端部の連結杆受け入れリング（１５）（１６）と、左右両側面パネル（ＳＬ）（ＳＲ）の横補強線材（１４ｘ）がそのメッシュパネル本体（Ｐ）から張り出す下端部の連結杆受け入れリング（１６）（１６）と、背面パネル（Ｒ）の縦補強線材（１４ｙ）がそのメッシュパネル本体（Ｐ）から張り出す下端部の連結杆受け入れリング（１５）とは、何れも接地するフラット面（１５ｆ）（１６ｆ）を備えた半円形又はＤ字形に造形したことを特徴とする請求項１記載の有害動物捕獲用の箱罠。
【請求項５】
有害動物侵入口（Ｅ）の開閉シャッター（１０）が有害動物の透視不能な金属の目隠し板から成り、その下端中央部に倒立Ｕ字形の逃し溝（２１）を設けたことを特徴とする請求項１記載の有害動物捕獲用の箱罠。
【請求項６】
開閉シャッター用左右両昇降ガイド支柱（１１Ｌ）（１１Ｒ）の下端部に、その開閉シャッター（１０）を受け止め得るフラットな金属接地板（１７）が取り付け固定されたことを特徴とする請求項１記載の有害動物捕獲用の箱罠。
【請求項７】
請求項１に記載された有害動物捕獲用箱罠の組立方法であって、
金属骨線材が格子状態に溶接された長方形のメッシュパネル本体（Ｐ）に、その網目を細分する複数本づつの縦・横補強線材（１４ｙ）（１４ｘ）が、その両端部の連結杆受け入れリング（１５）（１６）をメッシュパネル本体（Ｐ）の額縁から張り出す状態に溶接された天井面パネル（Ｔ）と底面パネル（Ｂ）並びに左右一対の側面パネル（ＳＬ）（ＳＲ）と、
同じく金属線材が格子状態に溶接された正方形又は長方形のメッシュパネル本体（Ｐ）に、その網目を細分する複数本づつの縦・横補強線材（１４ｙ）（１４ｘ）が、その両端部の連結杆受け入れリング（１５）（１６）をメッシュパネル本体（Ｐ）の額縁から張り出す状態に溶接された背面パネル（Ｒ）と、
上記左右両側面パネル（ＳＬ）（ＳＲ）側の連結杆受け入れリング（１５）（１５）と対応合致する複数づつの連結杆受け入れリング（２２）（２２）が背面に溶接され、且つ有害動物侵入口（Ｅ）の開閉シャッター（１０）を支持する左右一対の昇降ガイド支柱（１１Ｌ）（１１Ｒ）と、
上記左右両側面パネル（ＳＬ）（ＳＲ）の長辺と同じ長さを有する合計４本の長い水平連結杆（１２ｙ）（１２ｙ）（１２ｙ）（１２ｙ）と、
上記天井面パネル（Ｔ）の短辺と同じ長さを有する合計２本の短かい水平連結杆（１２ｘ）（１２ｘ）と、
上記左右両側面パネル（ＳＬ）（ＳＲ）の短辺よりも長い背丈を有する合計４本の垂直連結杆（１３）（１３）（１３）（１３）とを用意し、
先ず第１に、底面パネル（Ｂ）へ左右何れか一方の右側面パネル（ＳＲ）を前後方向に沿い延在する長い水平連結杆（１２ｙ）によって枢支連結する一方、同じく底面パネル（Ｂ）へ背面パネル（Ｒ）を左右方向に沿い延在する短かい水平連結杆（１２ｘ）により枢支連結して、地面（ＧＬ）への展開状態に敷き並べ、
第２に、その展開状態にある底面パネル（Ｂ）から上記右側面パネル（ＳＲ）と背面パネル（Ｒ）とを、各々上記水平連結杆（１２ｙ）（１２ｘ）の軸線廻りに約９０度だけ起立させて、その起立した右側面パネル（ＳＲ）と背面パネル（Ｒ）との交叉するコーナーを、上方から串刺す垂直連結杆（１３）によって連結固定し、
第３に、未だ展開状態にある底面パネル（Ｂ）へ残る他方の左側面パネル（ＳＬ）を、やはり前後方向に沿い延在する長い水平連結杆（１２ｙ）によって枢支連結し、
第４に、上記底面パネル（Ｂ）からの起立状態にある右側面パネル（ＳＲ）と背面パネル（Ｒ）へ、上方から天井面パネル（Ｔ）を底面パネル（Ｂ）との向かい合う水平状態に載架して、その天井面パネル（Ｔ）と右側面パネル（ＳＲ）とを前後方向に沿い延在する長い水平連結杆（１２ｙ）によって枢支連結する一方、同じく天井面パネル（Ｔ）と背面パネル（Ｒ）とを左右方向に沿い延在する短かい水平連結杆（１２ｘ）によって枢支連結し、
第５に、未だ展開状態にある上記左側面パネル（ＳＬ）を底面パネル（Ｂ）から、上記長い水平連結杆（１２ｙ）の軸線廻りに約９０度だけ起立させて、その起立した左側面パネル（ＳＬ）と背面パネル（Ｒ）との交叉するコーナーを、上方から串刺す垂直連結杆（１３）によって連結固定し、
第６に、上記左側面パネル（ＳＬ）と天井面パネル（Ｔ）とを前後方向に沿い延在する長い水平連結杆（１２ｙ）によって連結固定し、
上記第１〜６工程を経て直方体に組み立てられた箱罠本体（Ｃ）へ、最後に開閉シャッター（１０）の左右両昇降ガイド支柱（１１Ｌ）（１１Ｒ）を前方から当てがう如く据え立てて、その左右両昇降ガイド支柱（１１Ｌ）（１１Ｒ）と箱罠本体（Ｃ）の上記左右両側面パネル（ＳＬ）（ＳＲ）とを、上方から串刺す垂直連結杆（１３）の左右一対によって連結固定することを特徴とする有害動物捕獲用箱罠の組立方法。
【発明の詳細な説明】
【技術分野】
【０００１】
本発明は有害動物捕獲用の剛性に富む箱罠（檻）と、その設置現場での便利な組立方法に関する。
【背景技術】
【０００２】
工具を使わずに組立・分解できる有害動物捕獲用の箱罠（檻）が、下記の特許文献１〜３に開示されている。
【０００３】
そのうちの特許文献３に記載されたパネルユニットは、複数の矩形パネルから全体的な直方体に形作られており、その各格子パネル本体（ワイヤーメッシュ）における隣り合う側端面同士を直角に交叉させ、連結軸を介して旋回自在に枢支連結している点で、本発明に最も近似する公知技術であると考えられる。
【先行技術文献】
【特許文献】
【０００４】
【特許文献１】特許第４４８０４８０号公報
【特許文献２】実用新案登録第３１４７７０１号公報
【特許文献３】特開２０１４−９７０３５号公報
【発明の概要】
【発明が解決しようとする課題】
【０００５】
ところが、上記特許文献３に開示されたパネルユニットの構成では、第１に連結軸（Ｓ）の受け入れ用連結穴（６）を備えたアイボルト状連結リング（ＲＡ）〜（ＲＤ）の短かい軸部が、各格子パネル本体（２）の側端面（１Ａ）〜（１Ｄ）においてのみ、その縦鉄線（３）と横鉄線（５）へ継ぎ足し状態に溶接されているため、複数の連結リング（ＲＡ）〜（ＲＤ）をその連結穴（６）同士が同一中心線上へ整然と正しく並ぶ状態に位置決め溶接することは困難であり、その連結リング（ＲＡ）〜（ＲＤ）の短かい軸部を縦鉄線（３）の両端部と横鉄線（５）の両端部へ各々添え付け溶接したとしても、これらから成る正方形網目の格子パネル本体（２）を、その物理的に増強することはできず、未だ剛性に劣る。
【０００６】
また、第２に同じ正方形パネルの複数を連結することにより、図５〜１１のような有害動物捕獲用箱罠（Ｘ）のパネル直方体（檻本体）（１０１）を形作ることができるとしても、その正方形パネルの隣り合う同士を旋回自在に連結している連結軸（Ｓ）、就中水平の設置状態にある連結軸（Ｓ）は、図５〜１１の組立状態において、その連結リング（ＲＡ）〜（ＲＤ）の連結穴（６）から抜け出すおそれがある。その抜け止め状態に保つ構成が具備されていないため、捕獲された有害動物が箱罠（Ｘ）内において暴れれば、容易に破壊（分解）されてしまうことになる。
【０００７】
第３に、特許文献３の図５〜１１に記載された箱罠（Ｘ）の構成では、そのパネル直方体（檻本体）（１０１）における前面侵入口（１０３）の開閉扉（１０２）も、縦鉄線（３）と横鉄線（５）とから成る正方形網目の格子状態に形成されており、捕獲された有害動物にとって内部から透視できるため、その開閉扉（１０２）へ突進することになり、その結果開閉扉（１０２）も早期に破壊されてしまいやすい。
【０００８】
しかも、その開閉扉（１０２）は箱罠（Ｘ）の天井面や底面、左右両側面、背面の正方形パネルと同じく、落下時に据付け地面と強く接する横鉄線（５）を有するため、箱罠（Ｘ）の組立作業者が誤って足を挟まれ、負傷する危険がある。
【課題を解決するための手段】
【０００９】
本発明はこのような諸問題の改良を目的としており、その目的を達成するために、請求項１では天井面パネルと底面パネル並びに左右一対の側面パネルから前後方向への細長く延在する直方体をなし、その直方体の背面開口が背面パネルによって施蓋された状態の箱罠本体と、
【００１０】
その箱罠本体の正面開口を有害動物侵入口として区画する状態に据え立てられた左右一対の開閉シャッター用昇降ガイド支柱と、
【００１１】
上記有害動物侵入口の開閉シャッターをその昇降ガイド支柱に沿って落下させるトリガー装置とを備え、
【００１２】
上記箱罠本体を直方体に形成する天井面パネルと底面パネルと左右両側面パネルと背面パネルとが、何れも金属骨線材の縦横交叉する格子状態に溶接されたメッシュパネル本体から成る有害動物捕獲用の箱罠において、
【００１３】
上記天井面パネルと底面パネル並びに左右両側面パネルの悉く同じ長方形なメッシュパネル本体と、上記背面パネルの正方形又は長方形なメッシュパネル本体には、各々その網目を細分する複数本づつの縦・横補強線材が、その両端部に連続している連結杆受け入れリングをメッシュパネル本体の額縁から張り出す状態に溶接されており、
【００１４】
上記開閉シャッター用左右両昇降ガイド支柱の背面には複数づつの連結杆受け入れリングが、左右両側面パネルのメッシュパネル本体から前側へ張り出す縦補強線材の連結杆受け入れリングと同じ垂直中心線上での対応合致することとなる整列状態に溶接されており、
【００１５】
上記箱罠本体を直方体に形成する天井面パネルと左右両側面パネルと底面パネルとの隣り合う相互間が、その直方体の前後方向へ延在する平行な４コーナー稜線に沿って、左右両側面パネル側の横補強線材から張り出す上下両端部の連結杆受け入れリングと、天井面パネル側並びに底面パネル側の横補強線材から張り出す左右両端部の連結杆受け入れリングとの対応合致する内部へ、前方又は後方から抜き差し自在に差し込まれる合計４本の長い水平連結杆によって連結され、
【００１６】
同じく箱罠本体を直方体に形成する天井面パネルと背面パネルと底面パネルとの隣り合う相互間が、その直方体の左右方向へ延在する平行な２コーナー稜線に沿って、背面パネル側の縦補強線材から張り出す上下両端部の連結杆受け入れリングと、天井面パネル側並びに底面パネル側の縦補強線材から張り出す後端部の連結杆受け入れリングとの対応合致する内部へ、左方向又は右方向から抜き差し自在に差し込まれる合計２本の短かい水平連結杆によって連結され、
【００１７】
上記箱罠本体を直方体に形成する左右両側面パネルと背面パネルと開閉シャッター用の左右両昇降ガイド支柱との隣り合う相互間が、その直方体の上下方向へ延在する平行な４コーナー稜線に沿って、左右両側面パネル側の縦補強線材から張り出す前後両端部の連結杆受け入れリングと、上記左右両昇降ガイド支柱の背面側から張り出す連結杆受け入れリングと、背面パネル側の横補強線材から張り出す左右両端部の連結杆受け入れリングとの各々対応合致する内部へ、上方から抜き差し自在に差し込まれる合計４本の垂直連結杆によって連結され、
【００１８】
上記合計４本の長い水平連結杆と合計２本の短かい水平連結杆とが、上記垂直連結杆の差し込みにより悉く抜け止め状態に拘束されることとなるように定めたことを特徴とする。
【００１９】
又、請求項２では合計４本の垂直連結杆を長い打込み棒として、地中へ打ち込み固定するように定めたことを特徴とする。
【００２０】
請求項３では箱罠本体を直方体に形成する天井面パネルと底面パネル、左右両側面パネル並びに背面パネルには、その各自の使用される形成面を示す識別指標が付与されていることを特徴とする。
【００２１】
請求項４では底面パネルの縦・横補強線材がそのメッシュパネル本体から張り出す両端部の連結杆受け入れリングと、左右両側面パネルの横補強線材がそのメッシュパネル本体から張り出す下端部の連結杆受け入れリングと、背面パネルの縦補強線材がそのメッシュパネル本体から張り出す下端部の連結杆受け入れリングとは、何れも接地するフラット面を備えた半円形又はＤ字形に造形したことを特徴とする。
【００２２】
請求項５では有害動物侵入口の開閉シャッターが有害動物の透視不能な金属の目隠し板から成り、その下端中央部に倒立Ｕ字形の逃し溝を設けたことを特徴とする。
【００２３】
請求項６では開閉シャッター用左右両昇降ガイド支柱の下端部に、その開閉シャッターを受け止め得るフラットな金属接地板が取り付け固定されたことを特徴とする。
【００２４】
更に、請求項７では請求項１に記載された有害動物捕獲用箱罠の組立方法であって、
【００２５】
金属骨線材が格子状態に溶接された長方形のメッシュパネル本体に、その網目を細分する複数本づつの縦・横補強線材が、その両端部の連結杆受け入れリングをメッシュパネル本体の額縁から張り出す状態に溶接された天井面パネルと底面パネル並びに左右一対の側面パネルと、
【００２６】
同じく金属線材が格子状態に溶接された正方形又は長方形のメッシュパネル本体に、その網目を細分する複数本づつの縦・横補強線材が、その両端部の連結杆受け入れリングをメッシュパネル本体の額縁から張り出す状態に溶接された背面パネルと、
【００２７】
上記左右両側面パネル側の連結杆受け入れリングと対応合致する複数づつの連結杆受け入れリングが背面に溶接され、且つ有害動物侵入口の開閉シャッターを支持する左右一対の昇降ガイド支柱と、
【００２８】
上記左右両側面パネルの長辺と同じ長さを有する合計４本の長い水平連結杆と、
【００２９】
上記天井面パネルの短辺と同じ長さを有する合計２本の短かい水平連結杆と、
【００３０】
上記左右両側面パネルの短辺よりも長い背丈を有する合計４本の垂直連結杆とを用意し、
【００３１】
先ず第１に、底面パネルへ左右何れか一方の右側面パネルを前後方向に沿い延在する長い水平連結杆によって枢支連結する一方、同じく底面パネルへ背面パネルを左右方向に沿い延在する短かい水平連結杆により枢支連結して、地面への展開状態に敷き並べ、
【００３２】
第２に、その展開状態にある底面パネルから上記右側面パネルと背面パネルとを、各々上記水平連結杆の軸線廻りに約９０度だけ起立させて、その起立した右側面パネルと背面パネルとの交叉するコーナーを、上方から串刺す垂直連結杆によって連結固定し、
【００３３】
第３に、未だ展開状態にある底面パネルへ残る他方の左側面パネルを、やはり前後方向に沿い延在する長い水平連結杆によって枢支連結し、
【００３４】
第４に、上記底面パネルからの起立状態にある右側面パネルと背面パネルへ、上方から天井面パネルを底面パネルとの向かい合う水平状態に載架して、その天井面パネルと右側面パネルとを前後方向に沿い延在する長い水平連結杆によって枢支連結する一方、同じく天井面パネルと背面パネルとを左右方向に沿い延在する短かい水平連結杆によって枢支連結し、
【００３５】
第５に、未だ展開状態にある上記左側面パネルを底面パネルから、上記長い水平連結杆の軸線廻りに約９０度だけ起立させて、その起立した左側面パネルと背面パネルとの交叉するコーナーを、上方から串刺す垂直連結杆によって連結固定し、
【００３６】
第６に、上記左側面パネルと天井面パネルとを前後方向に沿い延在する長い水平連結杆によって連結固定し、
【００３７】
上記第１〜６工程を経て直方体に組み立てられた箱罠本体へ、最後に開閉シャッターの左右両昇降ガイド支柱を前方から当てがう如く据え立てて、その左右両昇降ガイド支柱と箱罠本体の上記左右両側面パネルとを、上方から串刺す垂直連結杆の左右一対によって連結固定することを特徴とする。
【発明の効果】
【００３８】
請求項１の上記構成によれば、箱罠（檻）本体を直方体に形成する天井面パネルと底面パネル、左右両側面パネル並びに背面パネルのメッシュパネル本体が、何れも金属骨線材の縦横交叉する格子状態に溶接されただけのものではなく、その平面（表面）には網目を細かく区分する複数本づつの縦・横補強線材が付属溶接されてもいるため、その全体的に重厚となって、優れた耐久強度・高剛性を維持できるのであり、如何なる振動や衝撃などを受けるも、決して破壊されてしまうおそれはない。
【００３９】
また、上記直方体に形成する各種パネルの隣り合う相互間を、多数のボルト・ナットやその他の締結具によって締結する必要がなく、その直方体の前後方向へ延在する４コーナー稜線に沿って、前方又は後方から抜き差し自在に差し込まれる合計４本の長い水平連結杆と、同じく左右方向へ延在する２コーナー稜線に沿って、左方向又は右方向から抜き差し自在に差し込まれる合計２本（上下一対）の短かい水平連結杆と、更に上下方向へ延在する４コーナー稜線に沿って、上方から抜き差し自在に差し込まれる合計４本の垂直連結杆との３種を用いて、極めて容易に連結することができ、その直方体への組立のみならず分解も、工具の必要なく短時間での効率良く行えるのであり、現場作業性に優れる。
【００４０】
その場合、特に請求項２の構成を採用するならば、上記垂直連結杆の合計４本を設置現場の地中へ打ち込むことによって、上記箱罠（檻）を直方体に組み立てる作業が完了することとなり、著しく便利であると共に、如何なる現場でも安定・強固に据え付けることができる。
【００４１】
また、請求項３の構成を採用するならば、その識別指標を目視することによって、誰でも使用する各種パネルを誤りなく選び出せるのであり、箱罠の組立作業をますます便利に行える。
【００４２】
請求項４の構成を採用するならば、箱罠本体の底面が設置現場の地面から浮上する状態を予防でき、延いては有害動物の違和感・警戒感が解消するため、その捕獲成果がますます向上する。
【００４３】
請求項５の構成を採用するならば、捕獲された有害動物が開閉シャッターに突進して、その開閉シャッターを早期に破損させたり、また設置現場へ箱罠を据え付け中の作業者が、誤って落下した開閉シャッターにより、足を負傷したりすることを確実に防止できる効果がある。
【００４４】
更に、請求項６の構成を採用するならば、左右両昇降ガイド支柱の下端部に金属接地板が横断しているため、その昇降ガイド支柱の強度と安定性が向上するほか、有害動物侵入口の地面を常時金属接地板によってフラット化することができ、その地面の激しい荒れ（不整）や凹凸による有害動物の違和感・警戒感を無くせる効果もある。
【００４５】
他方、請求項７の構成によれば、重量がある各種パネルでも作業者の１人や２人によって、順序良く短時間に組み立てることができ、箱罠（檻）本体へ前方から開閉シャッター用左右両昇降ガイド支柱を組み付けるべく、最終的に左右一対（合計２本）の垂直連結杆を上方から串刺せば、後側へ先に串刺されている左右一対（合計２本）の垂直連結杆とも相俟って、合計４本の長い水平連結杆が前後方向へ移動して抜けたり、合計２本の短かい水平連結杆が左右方向へ移動して抜けたりするおそれはなく、自づと安定・強固な組立状態を得られる効果がある。
【図面の簡単な説明】
【００４６】
【図１】本発明に係る箱罠の全体概略斜面図である。
【図２】図１の分解斜面図である。
【図３】図２を拡大して示す分解断面平面図である。
【図４】天井面パネルを抽出して示す平面図である。
【図５】天井面パネルの縦補強線材を抽出して示す平面図である。
【図６】図５の側面図である。
【図７】天井面パネルの横補強線材を抽出して示す平面図である。
【図８】図７の側面図である。
【図９】左側面パネルを抽出して示す正面図である。
【図１０】右側面パネルを抽出して示す正面図である。
【図１１】左右両側面パネルの横補強線材を抽出して示す正面図である。
【図１２】図１１の側面図である。
【図１３】背面パネルを抽出して示す正面図である。
【図１４】背面パネルの横補強線材を抽出して示す正面図である。
【図１５】図１４の側面図である。
【図１６】底面パネルを抽出して示す平面図である。
【図１７】底面パネルの横補強線材を抽出して示す平面図である。
【図１８】図１７の側面図である。
【図１９】底面パネルの縦補強線材を抽出して示す側面図である。
【図２０】図２０の平面図である。
【図２１】各種パネルを連結した展開状態の平面説明図である。
【図２２】図２１の２２−２２線断面図である。
【図２３】開閉シャッターとその昇降ガイド支柱の変形実施形態を示す斜面図である。
【図２４】本発明に係る箱罠の組立順序を説明するために、その必要な各種パネルの敷き並べ状態を示す模式図である。
【図２５】図２４の状態から右側面パネルと背面パネルとを起立させて、その起立した両パネルの相互間へ、上方から垂直連結杆を差し込む工程の模式図である。
【図２６】図２５の状態にある底面パネルと左側面パネルとの相互間へ、前方から長い水平連結杆を差し込む工程の模式図である。
【図２７】図２６の状態から天井面パネルを載架し、その天井面パネルと右側面パネルとの相互間へ、前方から長い水平連結杆を差し込む一方、同じく天井面パネルと背面パネルとの相互間へ、左方向から短かい水平連結杆を差し込む工程の模式図である。
【図２８】図２７の状態から左側面パネルを起立させて、その起立した左側面パネルと背面パネルとの相互間へ、上方から垂直連結杆を差し込む工程の模式図である。
【図２９】図２８の状態にある天井面パネルと左側面パネルとの相互間へ、前方から長い水平連結杆を差し込む工程の模式図である。
【図３０】図２９の状態から開閉シャッター用の昇降ガイド支柱を据え立て、その左右両昇降ガイド支柱と左右両側面パネルとの相互間へ、上方から垂直連結杆を差し込む工程の模式図である。
【図３１】箱罠の組立状態を示す側面図である。
【図３２】図３１の平面図である。
【図３３】図３１の３３−３３線断面図である。
【図３４】図３２の３４−３４線断面図である。
【図３５】図３１の３５−３５線断面図である。
【図３６】図３２のＡ部分拡大斜面図である。
【発明を実施するための形態】
【００４７】
以下、図面に基いて本発明の好適な実施形態を詳述すると、その有害動物捕獲用の箱罠（檻）は、図１〜３や図３１〜３６に示す概略的な分解状態と組立状態とから明白なように、前後（正背）方向へ細長く延在する矩形（長方形）の天井面パネル（Ｔ）並びに左右両側面パネル（ＳＬ）（ＳＲ）と、これらとほぼ同じ大きさの矩形（長方形）な底面パネル（Ｂ）と、矩形（正方形又は長方形）の背面パネル（Ｒ）と、その背面パネル（Ｒ）とほぼ対応する大きさ・形状の有害動物侵入口（正面開口）（Ｅ）を開閉する開閉シャッター（１０）と、その開閉シャッター（１０）における左右一対の昇降ガイド支柱（１１Ｌ）（１１Ｒ）と、上記パネル（Ｔ）（ＳＬ）（ＳＲ）（Ｂ）（Ｒ）の各種と開閉シャッター（１０）の昇降ガイド支柱（１１Ｌ）（１１Ｒ）から、直方体の箱罠（檻）本体（Ｃ）に組み立てる複数本の連結杆（１２ｙ）（１２ｙ）（１２ｙ）（１２ｙ）（１２ｘ）（１２ｘ）（１３）（１３）（１３）（１３）とを備えており、分解して運搬したり、設置場所を変えたりすることもできるようになっている。
【００４８】
その場合、左右両側面パネル（ＳＬ）（ＳＲ）は互換性を有し、天井面パネル（Ｔ）や底面パネル（Ｂ）などへ左右対称の設置状態に組み立てられる。上記連結杆（１２ｙ）（１２ｙ）（１２ｙ）（１２ｙ）（１２ｘ）（１２ｘ）（１３）（１３）（１３）（１３）としては、左右両側面パネル（ＳＬ）（ＳＲ）の長辺と同じ長さを有する上下一対づつ合計４本の長い水平連結杆（１２ｙ）〜（１２ｙ）と、天井面パネル（Ｔ）や底面パネル（Ｂ）の短辺と同じ長さを有する上下一対（合計２本）の短かい水平連結杆（１２ｘ）（１２ｘ）と、左右両側面パネル（ＳＬ）（ＳＲ）の短辺よりも長く（背高く）起立し，地面（ＧＬ）への打ち込み棒（杭）としても機能し得る前後一対づつ合計４本の垂直連結杆（１３）〜（１３）とが用意されている。これらの連結杆（１２ｙ）〜（１２ｙ）（１２ｘ）（１２ｘ）（１３）〜（１３）は、何れも金属の管棒材から成る。
【００４９】
そして、上下一対づつ合計４本の長い水平連結杆（１２ｙ）〜（１２ｙ）は上記直方体の前後（正背）方向（奥行方向／縦方向）へ延在する平行な４コーナー稜線（Ｙ−Ｙ）に沿って、後述する左右両側面パネル（ＳＬ）（ＳＲ）側の横補強線材から張り出す上下両端部の連結杆受け入れリングと、天井面パネル（Ｔ）側並びに底面パネル（Ｂ）側の横補強線材から張り出す左右両端部の連結杆受け入れリングとの対応合致する内部へ、前方又は後方から抜き差し自在に差し込まれることにより、その直方体の天井面パネル（Ｔ）と左右両側面パネル（ＳＬ）（ＳＲ）と底面パネル（Ｂ）との隣り合う相互間を連結する。
【００５０】
また、上下一対（合計２本）の短かい水平連結杆（１２ｘ）（１２ｘ）は同じく直方体の左右方向（幅方向／横方向）へ延在する平行な２コーナー稜線（Ｘ−Ｘ）に沿って、後述する背面パネル（Ｒ）側の縦補強線材から張り出す上下両端部の連結杆受け入れリングと、天井面パネル（Ｔ）側並びに底面パネル（Ｂ）側の縦補強線材から張り出す後端部の連結杆受け入れリングとの対応合致する内部へ、左方向又は右方向から抜き差し自在に差し込まれることにより、その直方体の天井面パネル（Ｔ）と背面パネル（Ｒ）と底面パネル（Ｂ）との隣り合う相互間を連結する。
【００５１】
更に、前後一対づつ合計４本の長い垂直連結杆（１３）〜（１３）は上記直方体の上下方向（高さ方向）へ延在する平行な４コーナー稜線（Ｚ−Ｚ）に沿って、後述する左右両側面パネル（ＳＬ）（ＳＲ）側の縦補強線材から張り出す前後両端部の連結杆受け入れリングと、開閉シャッター（１０）における左右両昇降ガイド支柱（１１Ｌ）（１１Ｒ）の背面側から張り出す連結杆受け入れリングと、背面パネル（Ｒ）側の横補強線材から張り出す左右両端部の連結杆受け入れリングとの各々対応合致する内部へ、上方から抜き差し自在に差し込まれることにより、その直方体の左右両側面パネル（ＳＬ）（ＳＲ）と背面パネル（Ｒ）と開閉シャッター用左右両昇降ガイド支柱（１１Ｌ）（１１Ｒ）との隣り合う相互間を連結するようになっている。
【００５２】
有害動物捕獲用の箱罠（檻）はその有害動物侵入口（Ｅ）から侵入した有害動物の検知センサーと、そのセンサーの検知出力信号を受けて、上記開閉シャッター（１０）を自動的に落下させるトリガー装置も具備しているが、そのトリガー装置としては検知センサーの出力信号を受けて、開閉シャッター（１０）を自動的に落下させるものだけに限らず、例えば有害動物の侵入状態をネットワークカメラにより撮影し、そのカメラから受信したライブ画像を、監視者がパソコンや携帯電話などのユーザー情報端末により目視しながら、トリガー装置を作動させるべく遠隔操作しても良い。尚、そのトリガー装置や検知センサー、ネットワークカメラなどの図示と説明は省略する。
【００５３】
本発明における上記構成部材（組立部品）のうち、先ず天井面パネル（Ｔ）の具体的な構成を詳述すると、これは図４のような矩形（長方形）（例えば２０００mm×１０００mmや２４００mm×１２００mmの大きさ）の額縁内を縦横交叉する複数本の金属骨線材（例えばφ４mm〜６mmの棒鋼）（図示符号省略）から、格子状態に組み付け溶接されたメッシュパネル本体（Ｐ）と、その網目（例えば２００mm角メッシュや１００mm角メッシュ）を更に細かく区分する如く、メッシュパネル本体（Ｐ）の平面（片側表面）へ格子状態に付属溶接された複数本（図例では５本）の縦補強線材（１４ｙ）と複数本（図例では１０本）の横補強線材（１４ｘ）とから成る。その縦・横補強線材（１４ｙ）（１４ｘ）は上記メッシュパネル本体（Ｐ）の骨線材とほぼ同じ太さの棒鋼や鉄筋である。
【００５４】
しかも、その縦補強線材（１４ｙ）が矩形（長方形）をなすメッシュパネル本体（Ｐ）の平行な短辺から張り出す前後両端部と、横補強線材（１４ｘ）が同じくメッシュパネル本体（Ｐ）の平行な長辺から張り出す左右両端部とは、何れも円形（例えばφ３０mmの大きさ）の連結杆受け入れリング（１５）（１５）（１６）（１６）として連続的に巻き曲げられている。
【００５５】
その場合、複数本の縦補強線材（１４ｙ）はメッシュパネル本体（Ｐ）の両長辺や縦骨線材と悉く平行に延在するが、図４〜６から明白なように、その両短辺から張り出す前後両端部は一旦互いに相反する方向へ約４５度（θ）だけ折り曲げられた上、連結杆受け入れリング（１５）（１５）として円形に巻き曲げられており、その巻き曲げられた連結杆受け入れリング（１５）（１５）は上記メッシュパネル本体（Ｐ）の平面と直交する平面に開口している。
【００５６】
他方、複数本の横補強線材（１４ｘ）は同じくメッシュパネル本体（Ｐ）の両短辺や横骨線材と悉く平行に延在するが、その両長辺から張り出す左右両端部も図４、７、８のように、一旦互いに相反する方向へ約４５度（θ）だけ折り曲げられた上、やはり連結杆受け入れリング（１６）（１６）として円形に巻き曲げられており、その巻き曲げられた連結杆受け入れリング（１６）（１６）も上記メッシュパネル本体（Ｐ）の平面と直交する平面に開口している。
【００５７】
つまり、予じめ図５〜８のように両端部が約４５度（θ）だけ折り曲げられ、円形の連結杆受け入れリング（１５）（１５）（１６）（１６）として巻き曲げ準備された縦補強線材（１４ｙ）と横補強線材（１４ｘ）との複数本づつを、上記矩形（長方形）のメッシュパネル本体（Ｐ）へ図４のように、その両端部がメッシュパネル本体（Ｐ）の額縁から張り出す関係状態に溶接しているのであり、上記天井面パネル（Ｔ）を左右両側面パネル（ＳＬ）（ＳＲ）や底面パネル（Ｂ）と組み立てる時に、その隣り合うメッシュパネル本体（Ｐ）の縦補強線材（１４ｙ）から張り出す両端部の連結杆受け入れリング（１５）（１５）同士が衝突したり、横補強線材（１４ｘ）から張り出す両端部の連結杆受け入れリング（１６）（１６）同士が衝突したりすることを避け、その縦・横補強線材（１４ｙ）（１４ｘ）同士が図２１に示唆する如く、同じ中心線（Ｌ−Ｌ）（Ｗ−Ｗ）上に正しく対応合致して整然と並列し得るようになっている。
【００５８】
次に、左右両側面パネル（ＳＬ）（ＳＲ）の具体的な構成について言えば、これらは図９、１０のように上記天井面パネル（Ｔ）と同じ大きさの矩形（長方形）をなし、そのメッシュパネル本体（Ｐ）に複数本づつ溶接された縦・横補強線材（１４ｙ）（１４ｘ）が、メッシュパネル本体（Ｐ）の両短辺や両長辺（額縁）から張り出す両端部に、やはり連結杆受け入れリング（１５）（１５）（１６）（１６）を具備しているけれども、その横補強線材（１４ｘ）における張り出し一端部（下端部）の連結杆受け入れリング（１６）だけは円形でなく、図１１、１２に抽出して示す如く、地面（ＧＬ）との接触面（接地面）がフラットな半円形やＤ字形に巻き曲げられている。（１６ｆ）はその接地するフラット面を示す。その他の構成は上記天井面パネル（Ｔ）と実質的に同一であり、共通するため、その左右両側面パネル（ＳＬ）（ＳＲ）に天井面パネル（Ｔ）と同じ図示符号を記入するにとどめる。
【００５９】
また、背面パネル（Ｒ）は上記天井面パネル（Ｔ）や左右両側面パネル（ＳＬ）（ＳＲ）よりも小さい図１３のような矩形（正方形）（例えば１０００mm×１０００mmや１２００mm×１２００mmの大きさ）をなし、そのメッシュパネル本体（Ｐ）に複数本づつ溶接された縦・横補強線材（１４ｙ）（１４ｘ）が、メッシュパネル本体（Ｐ）の各辺（額縁）から張り出す両端部に、やはり連結杆受け入れリング（１５）（１５）（１６）（１６）を具備しているけれども、その左右両側面パネル（ＳＬ）（ＳＲ）の上記縦補強線材（１４ｙ）と直交して起立する状態になる縦補強線材（１４ｙ）における張り出し一端部（下端部）の連結杆受け入れリング（１５）だけは円形でなく、これも図１１、１２と同様にして、接地面がフラット面（１５ｆ）をなす図１４、１５のような半円形やＤ字形に巻き曲げられている。その他の構成は上記天井面パネル（Ｔ）と実質的に同一であり、共通するため、その背面パネル（Ｒ）に天井面パネル（Ｔ）と同じ図示符号を記入するにとどめるが、上下方向（高さ方向）に細長い長方形の背面パネル（Ｒ）を採用することもあり得る。
【００６０】
更に、底面パネル（Ｂ）は上記天井面パネル（Ｔ）や左右両側面パネル（ＳＬ）（ＳＲ）とほぼ同じ大きさの矩形（長方形）をなすが、次の特殊な構成を備えているため、その天井面パネル（Ｔ）や左右両側面パネル（ＳＬ）（ＳＲ）との互換性はない。
【００６１】
即ち、第１に底面パネル（Ｂ）のメッシュパネル本体（Ｐ）にも複数本づつの縦・横補強線材（１４ｙ）（１４ｘ）が格子状態に溶接されており、そのメッシュパネル本体（Ｐ）の両長辺から張り出す横補強線材（１４ｘ）の左右両端部に、やはり連結杆受け入れリング（１６）（１６）を具備しているが、その連結杆受け入れリング（１６）（１６）は円形でなく、接地面がフラット面（１６ｆ）（１６ｆ）をなす図１６〜１８のような半円形やＤ字形に巻き曲げられている。
【００６２】
第２に、縦補強線材（１４ｙ）は図１６に示す如く、その一端部（前端部）に上記連結杆受け入れリング（１５）を具備しておらず、メッシュパネル本体（Ｐ）の前側短辺から張り出さない形態に言わば切り揃えられており、その前側短辺には有害動物侵入口（Ｅ）付近の地面（ＧＬ）をフラット化して、鹿や猪、子熊などの有害動物が侵入する際の違和感や警戒感を無くすために、縞鋼板などの金属接地板（１７）が溶接されている。その金属接地板（１７）を前側へ張り出し形成して、これにより落下時の開閉シャッター（１０）を受け止めることができるように定めても良い。
【００６３】
第３に、同じく縦補強線材（１４ｙ）の他端部（後端部）はメッシュパネル本体（Ｐ）の後側短辺から張り出しており、その張り出し他端部は連結杆受け入れリング（１５）として巻き曲げられているが、これも円形ではなく、図１０、２０のように接地面がフラット面（１５ｆ）をなす半円形やＤ字形に造形されている。
【００６４】
要すれば、図２、３の概略全体から示唆されるように、上記左右両側面パネル（ＳＬ）（ＳＲ）における横補強線材（１４ｘ）の張り出し下端部と、上記背面パネル（Ｒ）における縦補強線材（１４ｙ）の張り出し下端部と、底面パネル（Ｂ）における横補強線材（１４ｘ）の張り出し左右両端部並びに縦補強線材（１４ｙ）の張り出し後端部とを、何れも接地面がフラット面（１６ｆ）（１５ｆ）をなす半円形やＤ字形に巻き曲げることにより、底面パネル（Ｂ）の全面を地面（ＧＬ）へ確実に安定良く密着させて、その地面（ＧＬ）からの浮上による違和感や警戒感を有害動物に与えないようになっているのである。
【００６５】
上記底面パネル（Ｂ）における第１〜３点を除いたほかの構成は、先の天井面パネル（Ｔ）や左右両側面パネル（ＳＬ）（ＳＲ）の構成と実質的に同一であり、共通するため、その底面パネル（Ｂ）に上記天井面パネル（Ｔ）と同じ図示符号を記入するにとどめて、その詳細な説明を省略するが、上記底面パネル（Ｂ）における縦補強線材（１４ｙ）の一端部（前端部）をメッシュパネル本体（Ｐ）の前側短辺から張り出して、その張り出し前端部を上記張り出し後端部と同じく、フラット面（１５ｆ）により接地する半円形やＤ字形に造形してもさしつかえない。
【００６６】
尚、上記網目を細分する縦・横補強線材（１４ｙ）（１４ｘ）が溶接される前の縦・横金属骨線材から成るメッシュパネル本体（Ｐ）としては、その額縁の大きさ・形状（長方形）が同じ天井面パネル（Ｔ）と左右両側面パネル（ＳＬ）（ＳＲ）並びに底面パネル（Ｂ）のそれらを共通に使うことができ、量産効果の向上に役立つ。
【００６７】
上記天井面パネル（Ｔ）と左右両側面パネル（ＳＬ）（ＳＲ）、背面パネル（Ｒ）並びに底面パネル（Ｂ）の各種は、何れも矩形の額縁内を縦横交叉する複数本づつの金属骨線材（先に例示した棒鋼）と、その網目を更に細分する複数本づつの縦・横補強線材（１４ｙ）（１４ｘ）とを備えた格子状態のメッシュパネル本体（Ｐ）から成り、外観上類似しているため、箱罠（檻）本体（Ｃ）への組立作業を誤りなく、しかもすばやく行えるように、その各種パネル（Ｔ）（ＳＬ）（ＳＲ）（Ｂ）（Ｒ）には自身が箱罠（檻）本体（Ｃ）のどこに使用されるかという形成面を示す「天井面」や「左側面」、「右側面」、「背面」、「底面」という識別指標（１８）が付与されている。
【００６８】
その識別指標（１８）としては上記パネル（Ｔ）（ＳＬ）（ＳＲ）（Ｂ）（Ｒ）毎に異なる記号や図形、着色などを採用してもさしつかえないが、図４、９、１０、１３、１６に示す如く、言わばストレートな上記文字が切り抜き加工された金属表示板（１９）を、天井面パネル（Ｔ）と左右両側面パネル（ＳＬ）（ＳＲ）、背面パネル（Ｒ）並びに底面パネル（Ｂ）の見やすい所定位置へ、各々溶接などにより付属一体化しておくことが好ましい。作業者にとって一々考えるまでもなく、これらを一瞥して誤まりなく使い分けることができ、箱罠（檻）本体（Ｃ）を組み立てる現場作業性がますます向上するからである。
【００６９】
更に、上記有害動物侵入口（Ｅ）の開閉シャッター（１０）と、その昇降ガイド支柱（１１Ｌ）（１１Ｒ）の具体的な構成を詳述すると、ここに左右一対の昇降ガイド支柱（１１Ｌ）（１１Ｒ）は図１〜３のような向かい合うコ字形の鋼材から成り、その中途高さ位置に水平の補強桟（２０）が固定横架されることにより、これからの下方空間が上記背面パネル（Ｒ）とほぼ対応する大きさの矩形（正方形）な有害動物侵入口（Ｅ）として区成されている。そのため、上記開閉シャッター（１０）が小さくとも侵入口（正面開口）（Ｅ）と同じ大きさの矩形（正方形）に作成されている。
【００７０】
その場合、上記侵入口（Ｅ）の開閉シャッター（１０）を上記背面パネル（Ｒ）とほぼ同じく、縦・横金属骨線材（先に例示した棒鋼）から成る格子状態のメッシュパネル本体（Ｐ）として、透視できるように造形してもさしつかえないが、特に有害動物の透視不能な目隠し板から作成することが好ましい。捕獲された有害動物（特に猪）が暴れて、開閉シャッター（１０）へ勢いよく突進し、そのシャッター（１０）が早期に壊れることを予防できるからである。その目隠し板としては図示するような１枚物の金属板を採用することが望ましい。
【００７１】
何れにしても、上記開閉シャッター（１０）の下端中央部は逃し溝（２１）として倒立Ｕ字形に切り抜かれており、開閉シャッター（１０）が落下した時に、万一作業者が足を挟まれて、負傷する危険を予防できるようになっている。
【００７２】
この点、図１〜３や図１６、２１、３３、３４の実施形態では上記したように、底面パネル（Ｂ）の前側短辺に金属接地板（１７）が溶接されているが、その金属接地板（１７）を底面パネル（Ｂ）には溶接せず、図２３の変形実施形態に示す如く、上記昇降ガイド支柱（１１Ｌ）（１１Ｒ）における下端部の左右相互間へ横断状態に溶接して、これにより落下時の開閉シャッター（１０）を受け止めるように定めても良く、そうすれば有害動物侵入口（Ｅ）の地面（ＧＬ）をフラット化して、有害動物の侵入時における違和感や警戒感を無くすことができることに加えて、両昇降ガイド支柱（１１Ｌ）（１１Ｒ）をその水平な補強桟（２０）とも相俟って、ますます安定良く高剛性に保てる効果もある。
【００７３】
更に、両昇降ガイド支柱（１１Ｌ）（１１Ｒ）における上記矩形（正方形）の侵入口（Ｅ）を区画する背面には、図２、３、２１や図３１〜３４に示す如く、左右両側面パネル（ＳＬ）（ＳＲ）におけるメッシュパネル本体（Ｐ）の前側短辺から張り出す縦補強線材（１４ｙ）の円形な連結杆受け入れリング（１５）（１５）と対応位置する複数（図例では５個）づつの連結杆受け入れリング（２２）（２２）が溶接されている。その昇降ガイド支柱（１１Ｌ）（１１Ｒ）側の連結杆受け入れリング（２２）（２２）と上記左右両側面パネル（ＳＬ）（ＳＲ）側の連結杆受け入れリング（１５）（１５）とは、互いに同じ垂直中心線（Ｚ−Ｚ）上に正しく対応合致するよう整然と並列して、上記垂直連結杆（打込み棒）（１３）（１３）を円滑に受け入れることとなる。
【００７４】
図示実施形態の箱罠（檻）本体（Ｃ）は上記した構成を備えており、その直方体へ組み立てる方法を説明すると、次のとおりである。
【００７５】
即ち、図２４〜３０はその箱罠（檻）本体（Ｃ）の組立順序を説明するための模式図であり、予じめ底面パネル（Ｂ）と左右両側面パネル（ＳＬ）（ＳＲ）の何れか一方（図例では右側面パネル）（ＳＲ）との隣り合う長辺同士を、長い水平連結杆（１２ｙ）によって起伏的な回動自在に枢支連結すると共に、同じく底面パネル（Ｂ）の後側短辺と背面パネル（Ｒ）の下側になる一辺とを、短かい水平連結杆（１２ｘ）により起伏的な回動自在に枢支連結して、設置現場の地面（ＧＬ）へ図２４のような展開状態に敷き並べる。
【００７６】
その枢支連結作業するに当っては、上記底面パネル（Ｂ）のメッシュパネル本体（Ｐ）に溶接されている横補強線材（１４ｘ）のフラット面（１６ｆ）を有する半円形やＤ字形の連結杆受け入れリング（１６）と、上記右側面パネル（ＳＲ）のメッシュパネル本体（Ｐ）に溶接されている横補強線材（１４ｘ）の同じくフラット面（１６ｆ）を有する半円形やＤ字形連結杆受け入れリング（１６）との複数づつを、図２１に示す如く、同じ中心線（Ｙ−Ｙ）上での対応合致する関係状態に整列させて、その内部へ前方又は後方から（右側の）長い水平連結杆（１２ｙ）を串刺し状態に差し込むと共に、同じく底面パネル（Ｂ）のメッシュパネル本体（Ｐ）に溶接されている縦補強線材（１４ｙ）のフラット面（１５ｆ）を有する半円形やＤ字形の連結杆受け入れリング（１５）と、上記背面パネル（Ｒ）のメッシュパネル本体（Ｐ）に溶接されている縦補強線材（１４ｙ）のフラット面（１５ｆ）を有する半円形やＤ字形連結杆受け入れリング（１５）との複数づつを、図２１に示す如く、同じ中心線（Ｘ−Ｘ）上での対応合致する関係状態に整列させて、その内部へ左方向又は右方向から（下側の）短かい水平連結杆（１２ｘ）をやはり串刺し状態に差し込めば良い。
【００７７】
そして、図２４のように準備された展開状態から、その底面パネル（Ｂ）に対して右側面パネル（ＳＲ）を長い水平連結杆（１２ｙ）の軸線廻りに、約９０度だけ起立させる一方、これと相前後して、同じく底面パネル（Ｂ）から背面パネル（Ｒ）を短かい水平連結杆（１２ｘ）の軸線廻りに、約９０度だけ起立させるのである。
【００７８】
そうすれば、図２５の状態から示唆されるように、上記右側面パネル（ＳＲ）におけるメッシュパネル本体（Ｐ）の後側短辺から張り出す縦補強線材（１４ｙ）の円形な連結杆受け入れリング（１５）と、上記背面パネル（Ｒ）のメッシュパネル本体（Ｐ）から張り出す横補強線材（１４ｘ）の円形な連結杆受け入れリング（１６）との複数づつが、同じ垂直中心線（Ｚ−Ｚ）上での対応合致する関係状態に整列するため、その内部へ上方から図２５、２６のように、（右側の）垂直連結杆（１３）を串刺し状態に差し込むことにより、その右側面パネル（ＳＲ）と背面パネル（Ｒ）とが伏倒しない状態に仮り組みしておく。
【００７９】
但し、上記底面パネル（Ｂ）の設置場所を変える必要が起らなければ、その垂直連結杆（１３）を地面（ＧＬ）に打ち込んで、その最終的な本組み状態に固定維持しておいても良い。
【００８０】
次いで、未だバラ状態にある左側面パネル（ＳＬ）を上記底面パネル（Ｂ）の横隣り位置に敷き並べて、その左側面パネル（ＳＬ）のメッシュパネル本体（Ｐ）に溶接されている横補強線材（１４ｘ）のフラット面（１６ｆ）を有する半円形やＤ字形の連結杆受け入れリング（１６）と、上記底面パネル（Ｂ）のメッシュパネル本体（Ｐ）に溶接されている横補強線材（１４ｘ）の同じくフラット面（１６ｆ）を有する半円形やＤ字形連結杆受け入れリング（１６）との複数づつを、同じ中心線（Ｙ−Ｙ）上での対応合致する関係状態に整列させて、その内部へ前方又は後方から図２６のように（左側の）長い水平連結杆（１２ｙ）を串刺し状態に差し込む。その長い水平連結杆（１２ｙ）の軸線廻りに、追って左側面パネル（ＳＬ）を約９０度だけ起立させることができる状態に準備しておくのである。
【００８１】
他方、未だバラ状態にある天井面パネル（Ｔ）を、図２６の底面パネル（Ｂ）から起立状態にある背面パネル（Ｒ）と右側面パネル（ＳＲ）へ、上方から底面パネル（Ｂ）と言わば向かい合う水平状態に載架して、その天井面パネル（Ｔ）におけるメッシュパネル本体（Ｐ）の後側短辺から張り出す縦補強線材（１４ｙ）の円形な連結杆受け入れリング（１５）と、上記背面パネル（Ｒ）におけるメッシュパネル本体（Ｐ）の上側一辺から張り出す縦補強線材（１４ｙ）の円形な連結杆受け入れリング（１５）との複数づつを、同じ中心線（Ｘ−Ｘ）上での対応合致する関係状態に整列させた上、その内部へ左方向から図２７のように短かい水平連結杆（１２ｘ）を串刺し状態に差し込むのであり、そうすればその水平連結杆（１２ｘ）は先の（右側）垂直連結杆（１３）と衝突して、これにより受け止め規制されるため、右側から抜け出すおそれがない。
【００８２】
また、その短かい水平連結杆（１２ｘ）の差し込みと相前後して、同じく天井面パネル（Ｔ）におけるメッシュパネル本体（Ｐ）の右側長辺から張り出す横補強線材（１４ｘ）の円形な連結杆受け入れリング（１６）と、上記右側面パネル（ＳＲ）におけるメッシュパネル本体（Ｐ）の上側長辺から張り出す横補強線材（１４ｘ）の円形な連結杆受け入れリング（１６）との複数づつを、同じ中心線（Ｙ−Ｙ）上での対応合致する関係状態に整列させて、その内部へ前方から図２７のように（右側の）長い水平連結杆（１２ｙ）を串刺し状態に差し込むのであり、そうすればその水平連結杆（１２ｙ）も先の（右側）垂直連結杆（１３）と衝突して、これにより受け止め規制されるため、後側から抜け出すおそれはない。
【００８３】
その後、上記左側面パネル（ＳＬ）を図２７から図２８のように、底面パネル（Ｂ）との長い水平連結杆（１２ｙ）の軸線廻りに約９０度だけ起立させて、その左側面パネル（ＳＬ）におけるメッシュパネル本体（Ｐ）の後側短辺から張り出す縦補強線材（１４ｙ）の円形な連結杆受け入れリング（１５）と、既に起立している背面パネル（Ｒ）のメッシュパネル本体（Ｐ）から張り出す横補強線材（１４ｘ）の円形な連結杆受け入れリング（１６）との複数づつを、同じ垂直中心線（Ｚ−Ｚ）上での対応合致する関係状態に整列させて、その内部へ上方から図２８、２９のように（左側の）垂直連結杆（１３）を串刺し状態に差し込む。その場合、その垂直連結杆（１３）を打ち込み棒（杭）として、地面（ＧＬ）へ深く打ち込み固定しても良い。
【００８４】
上記の（左側）垂直連結杆（１３）を差し込めば、先に起立している左側面パネル（ＳＬ）と水平に載架された天井面パネル（Ｔ）とが、約９０度だけ交叉する状態も安定裡に保たれるので、それから図２９のように左側面パネル（ＳＬ）と天井面パネル（Ｔ）との隣り合う長辺同士を、その前方から串刺し状態に差し込む長い水平連結杆（１２ｙ）によって、起伏的な回動自在に枢支連結すれば良い。
【００８５】
また、同じく（左側の）垂直連結杆（１３）を差し込めば、上下一対（２本）の短かい水平連結杆（１２ｘ）（１２ｘ）は右側の垂直連結杆（１３）と相俟って、左右方向から挟持拘束され、抜け止め状態に固定維持されることとなる。併せて、左右一対づつ合計４本の長い水平連結杆（１２ｙ）（１２ｙ）（１２ｙ）（１２ｙ）も、上記垂直連結杆（１３）（１３）の左右一対（２本）によって後側へ抜け出さない状態に受け止められることとなる。
【００８６】
そこで，上記のような直方体に組み立られた箱罠（檻）本体（Ｃ）の前方から、開閉シャッター（１０）の昇降ガイド支柱（１１Ｌ）（１１Ｒ）を当てがう如く据え立て、その左右両昇降ガイド支柱（１１Ｌ）（１１Ｒ）の背面から張り出す円形の連結杆受け入れリング（２２）（２２）と、上記左右両側面パネル（ＳＬ）（ＳＲ）の前側短辺から張り出す縦補強線材（１４ｙ）の円形な連結杆受け入れリング（１５）との複数づつを、同じ垂直中心線（Ｚ−Ｚ）上での対応合致する関係状態に整列させて、その内部へ上方から図３０のように左右一対の垂直連結杆（１３）（１３）を串刺し状態に差し込むのである。その場合、その垂直連結杆（１３）（１３）を打ち込み棒（杭）として、やはり地面（ＧＬ）へ打ち込み固定することができる。
【００８７】
何れにしても、最後に上記前側にある左右一対（２本）の垂直連結杆（１３）（１３）を差し込めば、先の直方体をなす箱罠（檻）本体（Ｃ）に対して、その有害動物侵入口（Ｅ）を開閉するシャッター用昇降ガイド支柱（１１Ｌ）（１１Ｒ）が組み付け固定されることとなり、その垂直連結杆（１３）（１３）によって上記合計４本の長い水平連結杆（１２ｙ）（１２ｙ）（１２ｙ）（１２ｙ）が前側へ抜け出すこともなく、後側の垂直連結杆（１３）（１３）と相俟って挟持拘束されるのである。
【００８８】
つまり、箱罠が直方体に組み立て完成された状態では、図３１〜３６から明白なように、その直方体の前後方向（奥行方向／縦方向）へ延在する平行な４コーナー稜線（Ｙ−Ｙ）上において、左右両側面パネル（ＳＬ）（ＳＲ）側の横補強線材（１４ｘ）（１４ｘ）から張り出す上下両端部の連結杆受け入れリング（１６）（１６）と、天井面パネル（Ｔ）側並びに底面パネル（Ｂ）側の横補強線材（１４ｘ）（１４ｘ）から張り出す左右両端部の連結杆受け入れリング（１６）（１６）とが、整然と正しく対応合致とすることになり、その内部へ合計４本の長い水平連結杆（１２ｙ）〜（１２ｙ）が串刺し状態に差し込まれるので、その上記直方体の４コーナー稜線（Ｙ−Ｙ）に沿って平行に延在する合計４本の水平連結杆（１２ｙ）〜（１２ｙ）により、上記天井面パネル（Ｔ）と左右両側面パネル（ＳＬ）（ＳＲ）と底面パネル（Ｂ）との隣り合う相互間が枢支連結される結果となる。
【００８９】
また、同じく直方体の左右方向（幅方向／横方向）へ延在する平行な２コーナー稜線（Ｘ−Ｘ）上において、背面パネル（Ｒ）側の縦補強線材（１４ｙ）から張り出す上下両端部の連結杆受け入れリング（１５）（１５）と、天井面パネル（Ｔ）側並びに底面パネル（Ｂ）側の縦補強線材（１４ｙ）（１４ｙ）から張り出す後端部の連結杆受け入れリング（１５）（１５）とが、やはり整然と正しく対応合致することになり、その内部へ上下一対（合計２本）の短かい水平連結杆（１２ｘ）（１２ｘ）が串刺し状態に差し込まれるため、その上記直方体の２コーナー稜線（Ｘ−Ｘ）に沿って平行に延在する合計２本（上下一対）の短かい水平連結杆（１２ｘ）（１２ｘ）により、上記天井面パネル（Ｔ）と背面パネル（Ｒ）と底面パネル（Ｂ）との隣り合う相互間が枢支連結されることになる。
【００９０】
更に、上記直方体の上下方向（高さ方向）へ延在する平行な４コーナー稜線（Ｚ−Ｚ）上において、左右両側面パネル（ＳＬ）（ＳＲ）側の縦補強線材（１４ｙ）（１４ｙ）から張り出す前後両端部の連結杆受け入れリング（１５）（１５）と、開閉シャッター用左右両昇降ガイド支柱（１１Ｌ）（１１Ｒ）の背面側から張り出す連結杆受け入れリング（２２）（２２）と、背面パネル（Ｒ）側の横補強線材（１４ｘ）から張り出す左右両端部の連結杆受け入れリング（１６）（１６）とが、整然と正しく対応合致することになり、その内部へ合計４本の垂直連結杆（１３）〜（１３）が串刺し状態に差し込まれるので、その上記直方体の４コーナー稜線（Ｚ−Ｚ）に沿って平行に延在する合計４本の垂直連結杆（１３）〜（１３）により、上記左右両側面パネル（ＳＬ）（ＳＲ）と背面パネル（Ｒ）と開閉シャッター用左右両昇降ガイド支柱（１１Ｌ）（１１Ｒ）との隣り合う相互間が枢支連結される結果となる。
【００９１】
その場合、合計４本の長い水平連結杆（１２ｙ）〜（１２ｙ）は左右両側面パネル（ＳＬ）（ＳＲ）の長辺（上記直方体の奥行寸法）と同じ長さを有しており、上下一対（合計２本）の短かい水平連結杆（１２ｘ）（１２ｘ）は天井面パネル（Ｔ）や底面パネル（Ｂ）の短辺（上記直方体の幅方向）と同じ長さを有しているに比して、合計４本の垂直連結杆（１３）〜（１３）は左右両側面パネル（ＳＬ）（ＳＲ）の短辺（上記直方体の高さ寸法）よりも長い長さ（背丈）を備えており、打込み棒（杭）として地面（ＧＬ）へ深く打ち込まれたとしても、常時上記直方体をなす箱罠（檻）本体（Ｃ）の天井面パネル（Ｔ）から背高く張り出し起立するようになっているため、特に図３６から示唆されるように、その最終的に地中へ打ち込まれた合計４本の長い垂直連結杆（１３）〜（１３）によって、先の長い水平連結杆（１２ｙ）〜（１２ｙ）と短かい水平連結杆（１２ｘ）（１２ｘ）が悉く自づと抜け止め状態に拘束されるのである。
【００９２】
しかも、上記箱罠（檻）本体（Ｃ）を直方体に形成する各種パネル（Ｔ）（ＳＬ）（ＳＲ）（Ｂ）（Ｒ）は上記のとおり、縦横交叉する複数本の金属骨線材から格子状態に組み付け溶接されたメッシュパネル本体（Ｐ）の平面（片側表面）へ、更に複数本づつの縦・横補強線材（１４ｙ）（１４ｘ）がその網目を細かく区分する如く溶接された形態として、その全体的な厚肉の高剛性を有するため、捕獲された有害動物が内部において、激しく暴れ動くも、その箱罠（檻）の破壊（分解）されてしまうおそれはない。
【００９３】
図２４〜３０に示した組立方法は、合計４本の長い水平連結杆（１２ｙ）（１２ｙ）（１２ｙ）（１２ｙ）と合計２本の短かい水平連結杆（１２ｘ）（１２ｘ）並びに合計４本の垂直連結杆（１３）（１３）（１３）（１３）を差し込むことによって行えるため、上記パネル（Ｔ）（ＳＬ）（ＳＲ）（Ｂ）（Ｒ）の各種を締結するボルト・ナットや、作業工具などを使用する必要がなく、またその各種パネル（Ｔ）（ＳＬ）（ＳＲ）（Ｂ）（Ｒ）には箱罠（檻）本体（Ｃ）の形成面を示す識別指標（１８）が付与されているため、設置現場での組立作業性に著しく優れる。
【００９４】
更に、上記組立順序を逆方向に実行すれば、先の垂直連結杆（１３）（１３）（１３）（１３）と長い水平連結杆（１２ｙ）〜（１２ｙ）並びに短かい水平連結杆（１２ｘ）（１２ｘ）を容易に抜き出せるため、その箱罠（檻）をやはり容易に便利良く分解することができ、その小型・扁平に分解した状態で車両に積載・運搬することにより、設置場所を変えることも容易に行えるのである。
【符号の説明】
【００９５】
（１０）・開閉シャッター
（１１Ｌ）（１１Ｒ）・昇降ガイド支柱                                            （１２ｙ）・長い水平連結杆
（１２ｘ）・短かい水平連結杆
（１３）・垂直連結杆
（１４ｙ）・縦補強線材
（１４ｘ）・横補強線材
（１５）（１６）（２２）・連結杆受け入れリング
（１５ｆ）（１６ｆ）・フラット面
（１７）・金属接地版
（１８）・識別指標
（１９）・金属表示板
（２０）・補強桟
（２１）・逃し凹溝
（Ｂ）・底面パネル
（Ｃ）・箱罠（檻）本体
（Ｅ）・有害動物侵入口（正面開口）
（Ｐ）・メッシュパネル本体
（Ｒ）・背面パネル
（ＳＬ）・左側面パネル
（ＳＲ）・右側面パネル
（Ｔ）・天井面パネル
（ＧＬ）・地面
（Ｌ−Ｌ）・縦中心線
（Ｗ−Ｗ）・横中心線
（Ｘ−Ｘ）（Ｙ−Ｙ）（Ｚ−Ｚ）・コーナー稜線
【図１】
0006323879.tif 000002
【図２】
0006323879.tif 000003
【図３】
0006323879.tif 000004
【図４】
0006323879.tif 000005
【図５】
0006323879.tif 000006
【図６】
0006323879.tif 000007
【図７】
0006323879.tif 000008
【図８】
0006323879.tif 000009
【図９】
0006323879.tif 000010
【図１０】
0006323879.tif 000011
【図１１】
0006323879.tif 000012
【図１２】
0006323879.tif 000013
【図１３】
0006323879.tif 000014
【図１４】
0006323879.tif 000015
【図１５】
0006323879.tif 000016
【図１６】
0006323879.tif 000017
【図１７】
0006323879.tif 000018
【図１８】
0006323879.tif 000019
【図１９】
0006323879.tif 000020
【図２０】
0006323879.tif 000021
【図２１】
0006323879.tif 000022
【図２２】
0006323879.tif 000023
【図２３】
0006323879.tif 000024
【図２４】
0006323879.tif 000025
【図２５】
0006323879.tif 000026
【図２６】
0006323879.tif 000027
【図２７】
0006323879.tif 000028
【図２８】
0006323879.tif 000029
【図２９】
0006323879.tif 000030
【図３０】
0006323879.tif 000031
【図３１】
0006323879.tif 000032
【図３２】
0006323879.tif 000033
【図３３】
0006323879.tif 000034
【図３４】
0006323879.tif 000035
【図３５】
0006323879.tif 000036
【図３６】
0006323879.tif 000037